(57)【要約】【課題】ケーブルテレビジョンシステムにおいて、コンテンツの放送番組表を各視聴者の要望により形成し、形成された番組表に基づいてコンテンツを各視聴者に提供する。【解決手段】視聴者はコンテンツ提供者から提供される放送未定部分のある番組表に基づいて、コンテンツ提供者３が提供するコンテンツ書誌データ、コンテンツの詳細データ等から自己の視聴したいコンテンツを決定し、自己の視聴したい時間帯に登録する。コンテンツ提供者３は番組表におけるコンテンツの充足状態を予約サーバを介して常時表示し、各視聴者１はこの表示された番組表に順次コンテンツを充填し、コンテンツの放送時間までにコンテンツを時系列的に配置した番組表を形成し、コンテンツ提供者３はこの番組表に基づいてコンテンツ放送用データベース６から所定のコンテンツを方法サーバを介して各視聴者１に提供する。【選択図】        図１
2005020155.tif 000002
【特許請求の範囲】
【請求項１】
視聴者と、視聴者に放送番組としてのコンテンツを提供するコンテンツ提供者との間に成立し、かつコンテンツ提供者は番組表に従ってコンテンツを提供するシステムであって、視聴者は放送されるコンテンツ及び番組表に対するコンテンツの登録に必要なデータを表示する表示手段と、コンテンツ提供者に対してコンテンツの登録に必要なデータを出力する手段とを有し、コンテンツ提供者は視聴者が指定するコンテンツを番組表に組み込む番組作成手段と、視聴者にコンテンツの内容を示すデータを蓄積するコンテンツデータベースとを有し、視聴者はコンテンツ提供者が表示する番組表に対して自己の所望するコンテンツを登録することにより番組表に示された放送時間までに各コンテンツを時系列に配置して番組表を形成し、当該番組表に基づいてコンテンツを放送するよう構成したことを特徴とするコンテンツの放送システム。
【請求項２】
前記コンテンツのデータベースは、コンテンツのジャンル、タイトル、放送時間等コンテンツの書誌的データを蓄積しているコンテンツ書誌データベースと、各コンテンツのサンプル画像、演奏者（ジャンルが音楽の場合）、配役（ジャンルが映画等の場合）など各コンテンツのより詳細なデータを蓄積しているコンテンツ詳細データベースのうち、少なくともコンテンツ書誌データベースベースから成ることを特徴とする請求項１記載のコンテンツの放送システム。
【請求項３】
前記番組作成手段は、視聴者から登録要求のあったコンテンツを順次時系列的に配置して番組表を作成するよう構成されていることを特徴とする請求項１記載のコンテンツの放送システム。
【請求項４】
前記番組作成手段は、視聴者が指定する時間帯に対して指定するコンテンツをそれぞれ登録し、個々のコンテンツの登録により生じた番組表の空白部の時間に対応する放送時間を有するコンテンツを視聴者に表示し、視聴者はこの表示されたコンテンツの中から所望のコンテンツを選択して空白部を充填することにより、最終的にコンテンツを時系列的に配置した番組表を作成するよう構成されていることを特徴とする請求項１記載のコンテンツの放送システム。
【請求項５】
コンテンツ提供者にはコマーシャル用のＣＭコンテンツデータが蓄積され、各コンテンツの放送の間に適宜ＣＭコンテンツを放送するよう構成したことを特徴とする請求項１乃至４の何れかに記載のコンテンツの放送システム。
【請求項６】
コンテンツ提供者には各視聴者の属性をデータベース化したユーザーデータベースが設けられ、所定のコンテンツを登録した視聴者に対して当該視聴者の属性に対応した適切なＣＭコンテンツを当該登録コンテンツの放送時に放送するよう構成したことを特徴とする請求項１乃至５の何れかに記載のコンテンツの放送システム。
【請求項７】
番組表の空白部を充填するようコンテンツを指定したとき、このコンテンツの放送時間と、空白部の時間との差を埋めるためのコンテンツを蓄積するデータベースを有するこを特徴とする請求項４記載のコンテンツの放送システム。
【請求項８】
コンテンツ提供者は番組表の各時間帯のコンテンツの登録をオークション方式により決定する手段を有することを特徴とする請求項１記載のコンテンツの放送システム。
【発明の詳細な説明】
【０００１】
【発明の属する技術分野】
本発明はケーブルテレビジョンシステム、インターネット、地上波放送、衛星放送等の通信手段を用いて視聴者に対して画像及び音声による各種番組を提供するシステムに係り、特に番組を視聴する視聴者が放送番組の形成に係わるよう構成した放送システムに関する。
【０００２】
【従来の技術】
地上波放送、衛星放送或いはケーブルテレビジョン放送の何れにおいても放送されるべき番組の内容（以下実施例も含めて「コンテンツ」とする）は放送する者が決定し、かつこの決定内容を番組表と言う形て公表している。
【０００３】
視聴者はこの公表された番組表により自己の視聴したい番組を決め、番組表に表示された時間に放送される番組を視聴することになる。
【０００４】
【発明が解決しようとする課題】
上述のように番組提供者が決めた順序に従ってコンテンツが一方的に提供されるシステムは視聴者にとって必ずしも便利なものではない。このような点に鑑み最近提供されている双方向テレビシステムでは、ユーザーが要求したコンテンツを要求した時間に放送する双方向マルチメディアサービス（ビデオオンデマンド／ＶＯＤ）が行われている。この方式は提供されるコンテンツ毎に課金されるシステム（ペイパービュー）が採用されることが多い。
【０００５】
この方式によれば視聴者は自分が望む時間に望みのコンテンツを視聴することができるが、反面次のような問題もある。
即ち、ＶＯＤは視聴者とコンテンツ提供者との間の１対１対応のシステムであるため当然のことながら望みのコンテンツはＶＯＤを設定した視聴者以外は視聴できない。同様の要求を持つ視聴者はそれぞれ個別にＶＯＤを設定しなければならず、特にペイパービューが採用されている場合には視聴者にとって大きな負担となる。また、コンテンツ提供者側は、例えば放送時刻が重なって同じコンテンツの放送要求が多数発生した場合、放送本数に対応して多数の同じコンテンツを用意しなければならず、コンテンツ提供者側にとっても大きな負担となる。
【０００６】
【課題を解決するための手段】
本発明は上記の問題点に鑑み構成したものであり、通常の番組構成の利点と、ＶＯＤ方式の利点とを兼ねなえるよう構成したコンテンツの放送システムであることを特徴とする。
【０００７】
即ち、本発明は各種コンテンツを提供（放送）するコンテンツ提供者と、このコンテンツ提供者が放送するコンテンツを受信して視聴する視聴者との間に成立するシステムであって、コンテンツ提供者には放送内容である画像、音声から成るコンテンツデータ（放送内容）と、各コンテンツの書誌的データ（タイトル／放送時間等）と、番組表を作成する手段とを有し、視聴者はこのコンテンツ提供者とインターネット等の通信手段を介して双方向通信可能な端末を有し、かつ視聴者は自己の視聴したいコンテンツを自己の所望の時間に放送することを要求する手段を有し、コンテンツ提供者は自己が作成した番組表に当該視聴者の要求する時間帯に放送可能であれば、このコンテンツを番組表に組み込みこれを表示し、これによりそれぞれの視聴者によって一つの放送番組表が形成され、コンテンツ提供者はこのようにして視聴者の要望により形成された番組表に基づいてコンテンツを提供する。
【０００８】
【発明の実施の形態】
コンテンツ提供者と例えば会員契約を結んでる視聴者は自己の端末機器によって、コンテンツ提供者が提示している未完成の番組表を確認する。この番組表の中で、自己が視聴したい時間帯が未定であるとき、この時間帯に自己の視聴したいコンテンツを設定登録する。
【０００９】
即ち、コンテンツ提供者のコンテンツデータベースに対して例えばインターネットを介してアクセスし、自己の視聴したいジャンルのコンテンツの書誌的データを確認する。例えは視聴したいコンテンツが音楽番組であれば、演奏者、曲目、放送時間等を確認する。またこのコンテンツに関してより詳細な内容を知りたい場合には、コンテンツの詳細情報を蓄積するデータベースにアクセスしてその詳細情報を得る。
【００１０】
このようにして視聴者が自己の視聴したいコンテンツが決定されたならばコンテンツ提供者にコンテンツの登録請求を行い、コンテンツ提供者が表示する番組表に組み込む。
【００１１】
番組表の形成は放送時間順に順次コンテンツを埋めていく方式がデータ処理上最も単純かつ容易である。この場合には各コンテンツが順次埋まって番組表に示されている時刻に順次コンテンツが放送されているとき、例えば最終のコンテンツが放送される時刻の１時間前まで（もとより番組表に空きがある場合のみ）、コンテンツの登録を認める等して視聴者の要望に対応する。
【００１２】
またこのような番組表の構成の外、放送時刻の順序に従わずに各コンテンツをそれぞれ設定するよう構成することもできる。
即ち、視聴者は表示されいてる番組表に対して番組表の放送時刻の流れ関わりなく自己が視聴したい日時及び時刻に所望のコンテンツを登録する。例えば翌日の午後９時から１時間３０分の放映時間を有する映画番組を登録する等である。この場合、例えば７時から８時まで他の視聴者が登録した音楽のコンテンツがあるとすると、この音楽のコンテンツから前記映画番組のコンテンツの放映までの１時間の空白が番組表に存在することになる。
【００１３】
他の視聴者は番組表に表示された空白時間である午後８時から９時までの時間帯で放送時間が１時間以下のコンテンツの登録が可能となる。この場合前記コンテンツデータの書誌的事項から、この時間帯に放送可能でかつ自己の視聴したいコンテンツがあればこれを選択して登録する。
【００１４】
以上のような手順で各視聴者が番組表に表示された放送時間までに番組表を構成し、コンテンツ提供者はこの番組表に基づいて順次コンテンツを放映し、各視聴者はこの番組表に基づくコンテンツを自由に視聴することができる。
【００１５】
【実施例】
以下本発明の実施例を図面を参考に説明する。
図１は本システムの第１の実施例であって、主として番組表に対するコンテンツの登録を放送時間に対応して時系列的に設定する場合のシステム構成を示す。
【００１６】
本システムは、コンテンツを視聴する複数の視聴者１と、このコンテンツをインターネットやケーブルテレビジョンシステム等の通信手段２を介して視聴者に提供するコンテンツ提供者３との間に設立するシステムである。なお、本発明に必須の構成ではないが、視聴者１は通常コンテンツ提供者３との間に視聴契約を交わし、コンテンツ提供者３の会員となる構成とすることが多い。また、通信手段は上記のインターネットやケーブルテレビジョンシステムに限定する趣旨ではなく、例えば携帯電話等上記以外の通信手段を用いることももとより可能である。
【００１７】
先ず視聴者１側にはコンテンツ提供者３から提供されるコンテンツを視聴するするためのコンテンツ表示手段１ａ、即ち液晶或いはＣＲＴ等の画像表示部とスピーカー等の発声部とからなる手段と、入力手段１ｂとを有している。なお、例えは双方向テレビジョン、或いはパーソナルコンピュータ等のようにこの表示手段１ａと入力手段１ｂとは一体化されていることが多い。
【００１８】
次にコンテンツ提供者３側は次のような構成となっている。
符号４はコンテンツ書誌データを蓄積しているコンテンツ書誌データベース（以下「書誌データベース」とする）である。この書誌データベース４には各コンテンツの書誌的事項が記録されている。例えば音楽コンテンツであれば、音楽の種類、放送時間等が、また映画であればそのジャンル、放送時間等、視聴者が番組表に組み込み登録をするか否かの最低限の情報が記録されている。
【００１９】
符号５は前記各コンテンツの詳細情報を記録したデータベースである。この詳細情報データベース５には、前記例をもとに説明すると、音楽コンテンツであれば、演奏曲目、演奏者、歌手等の情報の外、例えば短時間のデモ用の音声及び画面情報等が、映画であれば出演者、大まかなストーリー、或いは前記と同様短時間のデモ用の音声及び画面情報等が記録されている。
【００２０】
符号６は実際に放送する内容を蓄積しているコンテンツデータベースであって、音楽番組、映画、スポーツ等各ジャンルのコンテンツが、ＣＤ、ビデオテープ等の媒体に収録されていたり、或いは記憶容量の大きなコンピュータに記録される等して構成されるデータベースである。
【００２１】
符号７はコマーシャルコンテンツを蓄積するデータベース（以下「ＣＭコンテンツデータベース」とする）である。８はコンテンツ提供者３にアクセスしてきた視聴者を確認するためのユーザ確認手段、９は個々の視聴者の属性、即ち性別、年齢、住所、職業等を記録しているデータベースである。
【００２２】
符号１０は番組作成手段であって、各視聴者から放送要求のあったコンテンツをその放送時間に合わせて登録することにより番組表として構成する手段である。１１は、上述した各部の動作を統括する中央処理部である。なお、図示の構成では各データベースや中央処理部１１を別個の独立した手段として表示しているが、これら各部の少なくとも一部を一つの演算装置として構成することはもとより可能である。
【００２３】
また符号１２は視聴者１とコンテンツ提供者３との間で番組表に対するコンテンツの登録を行うための情報のやり取りを行うためのサーバ（予約サーバ）であり、１３は完成した番組表に基づいてコンテンツを順次放送するためのサーバ（放送サーバ）である。
【００２４】
以上の構成において、番組表がコンテンツの放送時間に沿って時系列的に構成されてゆく場合を例に説明する。
上記の番組表構成方法において、視聴者１が番組の予約登録を行う場合には先ずコンテンツ提供者３にアクセスして現在作成中の番組表を自己の表示手段１ａに表示し、これにより未定の放送時間帯が当該視聴者１の予定する時間である場合には所望のコンテンツを予約登録する。
【００２５】
この番組予約において、視聴者１は予約サーバ１２を介して前記コンテンツ書誌データベース４、コンテンツ詳細データベース５に蓄積されたデータを自己の表示手段１に呼出し、所望のコンテンツを決定し予約する。このようにして各視聴者１はそれぞれが所望するコンテンツを予約登録して番組表を順次埋めてゆく。
【００２６】
なお、このようにして時系列的にコンテンツを埋めて番組表を形成する場合、番組表が視聴者１の視聴したい時間帯までまだコンテンツが埋まっていない場合にはコンテンツ放送時刻の予約を行うようにしてもよい。
【００２７】
例えば、番組放送当日の午後１時において、番組表には午後４時放送終了のコンテンツまでが埋まっているが、視聴者は午後８時頃の時間帯に例えば１時間の音楽番組を予約したいとする。この場合、時間帯の仮登録を行い、例えばコンテンツ放送時刻である午後８時の３０分前（午後７時３０分）までに他の視聴者がコンテンツの登録をしない場合にはこの時刻予約をした視聴者のコンテンツが番組表登録される等の方法も採用可能である。この場合、時系列的に充足された各コンテンツの放送時間により、時刻登録されたコンテンツの放送時刻からある程度ずれる状態は生じうる。このような事情、或いは他の事情により視聴者が時刻登録を取り消したい場合も生じる。この様な場合に対応して例えばコンテンツ放送前の一定時間（例えば２時間前）までは時刻予約を取り消すことができるとすることも可能である。
【００２８】
コンテンツの時刻予約がある場合、番組表にはこの時刻帯に時刻予約がある旨を予約コンテンツ（コンテンツの放送時間、タイトル、ジャンル等）と共に表示する。また、時刻予約が前記時間までに取り消されたときは、番組表は再度空白となり、他の時刻予約或いは時系列的なコンテンツの予約が行われ番組表が形成されてゆく。
【００２９】
以上のようにして番組表が形成され、コンテンツ提供者３はこの形成された番組表に従ってコンテンツ画像音声データベース６から番組表に対応するコンテンツを選択し、放送サーバ１３を介して、各視聴者１に対してそれぞれの番組表の放送時間に則してコンテンツを提供する。即ちコンテンツが各視聴者１に提供される段階では従来の放送と同じく番組表に沿ったコンテンツが各視聴者に対して広く提供される。
【００３０】
次に図２は番組表に対するコンテンツを時間の流れに係わりなくばらばらに設定するよう構成する場合を示す。即ち番組表には視聴者によって所望する時間帯に所望のコンテンツが登録され、番組表の構成途中では番組表が言わば虫食い状態に設定され、空いている時間帯に更にコンテンツが充足されることにより最終的には番組表内に時系列的にコンテンツが配列されるよう構成することにより視聴者のコンテンツ登録の自由度をより増すよう構成した場合を示している。
【００３１】
図中、図１と同符号のものは同じ対象を示す。従って先ず図２にのみある対象に付いて説明する。符号１４は検索手段であって、前記虫食い状態の番組表の空欄部に挿入可能なコンテンツを検索する手段である。また、１５は空欄に所定のコンテンツを挿入した場合に、前後のコンテンツの放送時間との関係で、短時間コンテンツが放送できない空白時間が生じることがあるが、この場合の穴埋めとして放送するコンテンツを蓄積したデータベースである。なお、この穴埋めは後述の通りＣＭコンテンツで行うことももとより可能である。
【００３２】
次に上記穴埋め方式の番組表作成の手順を図３及び図４を用いて説明する。
先ず、視聴者１側の手順を図３により説明する。視聴者１はコンテンツ提供者３にアクセスして自己の端末の表示手段１ａに、番組表を表示する（Ｓａ１）。表示された番組表は、各視聴者１がそれぞれ自己の視聴したい時間帯に番組登録しているため、番組表には各コンテンツが虫食い状態で表示されている。
【００３３】
視聴者１はこの番組表を見て、自己が登録したい時間帯が空いている場合にはその時間帯を特定し（Ｓａ２）、かつ自己の試聴したいコンテンツのジャンルを特定して（Ｓａ３）、このデータをコンテンツ提供者３に送信し、当該時間帯に放送可能なコンテンツを検索する（Ｓａ４）。なお、この検索自体はコンテンツ提供者３のデータにアクセスして視聴者１が直接行う方法の外、コンテンツ提供者３側で実施するようにしてもよい。
【００３４】
この検索の結果放送可能なコンテンツが抽出され、このコンテンツデータが視聴者１の表示手段１ａに表示される（Ｓａ５）。なお、コンテンツの抽出に関する条件は後述する図４の説明において例示する。視聴者１は表示された放送可能なコンテンツの中に、自己の所望するコンテンツがある場合にはこのコンテンツを特定してコンテンツ提供者３に出力し、コンテンツ提供者３は視聴者１が指定したコンテンツを確定し（Ｓａ７）、番組作成手段１０により番組表に組み込む（Ｓａ８）。各視聴者１はこのようにして虫食い状態の番組表の空白部に対して自己の所望するコンテンツを空白部分にそれぞれ充填することにより、最終的には時系列的な番組表が構成される。
【００３５】
図４は上記視聴者１側から行われるコンテンツの設定に対応したコンテンツ提供者側の手順を示している。
コンテンツ提供者３は視聴者１から番組予約の要求があるか否かを常時監視している（Ｓｂ１）。視聴者１から番組予約のアクセスがあると、視聴者１が所望するコンテンツのジャンルの確認（Ｓｂ２）、及び放送希望時間帯の確認（Ｓｂ３）を行う。なお、以下コンテンツ提供者３側で放送可能なコンテンツの検索を行う場合を例に説明する。
【００３６】
コンテンツ提供者３はこの視聴者１の条件設定に対して図２に示される検索手段１４を用いて放送可能なコンテンツを検索する。検索の条件としては例えば以下のような点が挙げられる。
視聴者１の指定した空白の時間帯が午後９時から午後１０時で、放送希望のコンテンツのジャンルが音楽番組であるとする。この場合、放送可能なコンテンツの時間は当然６０分以下の音楽番組となる。このような条件のコンテンツをコンテンツ書誌データベース４のデータを用いて検索する（Ｓｂ４）。
【００３７】
上記の場合、空白時間が６０分であるので、放送時間が６０分以下のコンテンツであれば全て放送可能となるが、例えば上記データベース４から、放送時間に関する条件を放送時間５０分から６０分までと設定して検索を行う。つまりこれにより上記空白を出来るだけコンテンツの放送時間で埋めるように構成する。但しこの方法は必須のものではなく、逆に放送時間３０分以下のコンテンツを検索して視聴者１に表示し、視聴者１がこれら３０分以下のコンテンツを登録したときには上記時間帯の残り３０分程度を番組表の空欄として別のコンテンツの充填部分とすることも可能である。但し下記の説明ではこのように空白部分を複数に分けるものではなく、あくまでも一つのコンテンツで充填する場合を例に説明する。
【００３８】
即ち検索手段１４において視聴者１が望むジャンルで放送時間が５０分から６０分のコンテンツがヒットしたならば、このコンテンツを予約サーバ１２を介して視聴者１の表示手段１ａに表示する（Ｓｂ５）。また逆にこのようなコンテンツがヒットしなかった場合には所望のコンテンツ無しの表示（Ｓｂ６）を行うか、或いは逆に放送時間３０分以下ものを検索し、この結果放送時間３０分以下のものがヒットした場合にはこのコンテンツを表示してもよい。
【００３９】
次に前記ステップＳｂ５において、表示されたコンテンツの中から視聴者１が所望のコンテンツ、例えば音楽番組を選択し、この選択したコンテンツを確認する（Ｓｂ７）。例えば放送時間５５分の音楽番組を視聴者１が選択したとする。この場合このコンテンツを放送すると、次のコンテンツの放送時間である午後１０まで５分の空き時間が生じる。このような空き時間が生じた場合、コンテンツ提供者３は穴埋めコンテンツデータベース１５から穴埋め用のコンテンツを選択して５分の空き時間に充填する。この穴埋めコンテンツとしては例えば山、海、各種動物、水中等の画像にバックグラウンドミュージックを流したもの等が考えられる。また、このような穴埋め専用のコンテンツ以外にも、前記実施例で示したＣＭコンテンツを放送するようセットしてもよい。これら指定されたコンテンツ及び穴埋めコンテンツを指定して番組表に組み込み（Ｓｂ８）、これを放送番組として設定し（Ｓｂ９）、番組表を各視聴者１に表示する（Ｓｂ１０）。なお、前記実施例を含めて、万一放送時間までにコンテンツが埋まらなかった場合には、コンテンツ提供者３が適宜選択したコンテンツを放送する。
【００４０】
また、オークション方式を用いて上記コンテンツの設定を行うようにしてもよい。上記の例で説明すると、番組表に午後９時から午後１０時までの時間帯に空白がある場合、一種のペイパービュー方式により、当該時間帯の設定料の最低価格が表示され、各視聴者１はこの価格と、自己の所望するジャンルのコンテンツから例えば上記例において最初の視聴者１Ａが最低価格１５０円で上記音楽番組を予約としたとする。この予約情報は番組表票に表示され、これを見た視聴者１Ｂが同じ音楽番組の別のコンテンツを２００円で予約し、更に視聴者Ｃがスポーツ番組のコンテンツの検索結果から、所望のスポーツ番組を２４０円で予約する等して、オークション締切り時間、例えば上記例でいえばコンテンツ放送時間の１時間前である午後８時までに最高額で予約した視聴者のコンテンツを放送するようにして番組表を形成することも可能である。
【００４１】
なお、番組表作成に係わった視聴者はそれぞれ属性（性別、年齢、職業、住所等）が予め登録されている。また視聴者が予約登録を望むことにより各コンテンツの人気度を計ることが可能となる。つまりコンテンツ提供者側で視聴者全体の嗜好、意識、視聴時間帯等を確実に把握できる。
このためアクセスの多いジャンルのコンテンツをより充実させたり、或いはアクセスの少ないジャンルのコンテンツの詳細データ（画像情報を含める）を表示して視聴者に知らせて視聴者に対してより広い範囲のコンテンツに興味を持ってもらう等、視聴者に対してより便利で有用な放送システムに順次レベルアップさせることも可能である。
【００４２】
【発明の効果】
本発明は、視聴者の要望に答えて視聴者全体で番組表を構成するため、コンテンツ提供者が一方的に番組表を編成しかつこの番組表に従ってコンテンツを放送する場合に比較して、放送されるコンテンツが視聴者のニーズに合ったものとなり、放送システムの利便性、有効性を高めることが可能となる。
【００４３】
また、番組表に充填されるべきコンテンツは、放送時間等の幾つかの条件を設定するだけで容易に選択可能であるため、コンテンツ提供者側での番組表の作成が非常に楽になり、番組表の作成、コンテンツの放送をほぼ全自動で行う事も可能となる。
【００４４】
さらに、視聴者はコンテンツ提供者に会員登録することによりコンテンツ提供者は視聴者の性別、年齢、居住地域、職業等の属性が登録され、これら視聴者の属性と選択したコンテンツのデータ等から性別、年齢別、職業別等のコンテンツの嗜好を割り出し、コンテンツの放送を順次レベルアップさせることが可能となる。
【００４５】
さらにまた、特定のコンテンツを指定した視聴者の属性に対応したＣＭコンテンツをこのこのコンテンツの放送時に放送することによってコマーシャル効果を高めることが期待できる。即ち、例えばコンテンツを指定した視聴者の属性が女性で主婦であるとすると、当該コンテンツの放送時には同様の属性を有する視聴者の視聴が期待でき、当該コンテンツの放送時にこれら視聴者の属性に合ったＣＭコンテンツを放送することによりコマーシャル効果が高まることが期待できる。
【図面の簡単な説明】
【図１】本発明の第１の実施例を示すブロック図である。
【図２】本発明の第２の実施例を示すブロック図である。
【図３】図２に示す第２の実施例において、視聴者側が行う手順の一例を示すフロー図である。
【図４】図２に示す第２の実施例において、コンテンツ提供者側が行う手順の一例を示すフロー図である。
【符号の説明】
１  視聴者
１ａ  表示手段
１ｂ  入力手段
２  通信（放送）システム
３  コンテンツ提供者
４  コンテンツ書誌データベース
５  コンテンツ詳細データベース
６  放送コンテンツデータ
７  ＣＭコンテンツデータベース
８  ユーザ確認手段
９  ユーザデータベース
１０  番組作成手段
１１  中央処理装置
１２  予約サーバ
１３  放送サーバ
１４  検索手段
１５  穴埋め用コンテンツデータベース
【図１】
2005020155.tif 000003
【図２】
2005020155.tif 000004
【図３】
2005020155.tif 000005
【図４】
2005020155.tif 000006